(57)【要約】      （修正有）【課題】デザイン的に良好であり、かつ、保冷材を収納するポケットが外部から見えない帽子を提供する。【解決手段】頭部に装着されるクラウン部２とクラウン部２の開口周縁に一体に設けられる環状の鍔部３とを備える。鍔部３は、クラウン部２の前周側に位置する前周部４とクラウン部２の後周側に位置する後周部５とからなる。鍔部３の前周部４は、表生地４０と裏生地４１と表生地４０と裏生地４１との間に設けられる芯材とを重ね合わせて構成されている。鍔部３の後周部５は、表生地５０と裏生地５１とを重ね合わせて構成され、その内面の着用者の首筋部分に当たる位置には保冷材７を収納可能なポケット６が着脱可能に設けられている。鍔部３の後周部５の表生地５０と裏生地５１とは、別素材で形成されており、裏生地５１は表生地５０よりも薄くまたは軽い素材で形成されている。【選択図】図４
0003152138.tif 000002
【実用新案登録請求の範囲】
【請求項１】
頭部に装着されるクラウン部と、前記クラウン部の開口周縁に一体に設けられる環状の鍔部とを備えた帽子であって、
前記鍔部は、前記クラウン部の前周側に位置する前周部と、前記クラウン部の後周側に位置する後周部とからなり、
前記鍔部の前周部は、表生地と裏生地と前記表生地と裏生地との間に設けられる芯材とを重ね合わせて構成され、
前記鍔部の後周部は、表生地と裏生地とを重ね合わせて構成され、その内面には保冷材を収納可能なポケットが着脱可能に設けられている帽子。
【請求項２】
前記鍔部の後周部の表生地と裏生地とは、別素材で形成されており、その一方の生地を他方の生地よりも薄くまたは軽くしたことを特徴とする帽子。
【考案の詳細な説明】
【技術分野】
【０００１】
本考案は、帽子に関し、特に本考案は、保冷機能を有する帽子に関する。
【背景技術】
【０００２】
従来から、夏の暑い日などには、帽子をかぶることにより、太陽光などを遮って暑さをしのぐことが行われている。しかし、帽子により単に太陽光の直射を遮るだけでは、暑さを防ぐには不十分であることから、帽子の適当な箇所に、人の頭部や、特に首筋部分を冷却するための保冷材を収納可能なポケットを取り付けたものが提案されている（例えば、特許文献１参照）。
【０００３】
特許文献１に記載の帽子は、図７に示すように、頭部を覆うクラウン部１００の左右両側に耳当て部１０１を、前側に額当て部１０２を、後側に首筋当て部１０３を、それぞれ一体に備えており、耳当て部１０１、額当て部１０２、首筋当て部１０３の内面には、それぞれ保冷材１０４を収納可能なポケット１０５が設けられている。帽子を着用したとき、各保冷材１０４によって、着用者の耳、額、首筋がそれぞれ冷やされることにより、着用者にヒンヤリとした涼感をもたらす。
【先行技術文献】
【特許文献】
【０００４】
【特許文献１】実用新案登録第３１０２４５４号公報
【考案の概要】
【考案が解決しようとする課題】
【０００５】
しかしながら、上記した特許文献１に記載の帽子は、クラウン部１００の特定箇所に上記した耳当て部１０１、額当て部１０２、首筋当て部１０３を設ける構成のために、帽子の見た目が悪くデザイン性に欠けるという問題がある。そのうえ、保冷材１０４を収納する各ポケット１０５が外部から丸見えとなるため、外観上の体裁が悪くなるという問題がある。
【０００６】
本考案は、上記した問題に着目してなされたもので、デザイン性に優れ、かつ、保冷材を収納するポケットが外部から見えない帽子を提供することを目的とする。
【課題を解決するための手段】
【０００７】
本考案の帽子は、頭部に装着されるクラウン部と、前記クラウン部の開口周縁に一体に設けられる環状の鍔部とを備えたものであって、前記鍔部は、前記クラウン部の前周側に位置する前周部と、前記クラウン部の後周側に位置する後周部とからなる。前記鍔部の前周部は、表生地と裏生地と前記表生地と裏生地との間に設けられる芯材とを重ね合わせて構成される。前記鍔部の後周部は、表生地と裏生地とを重ね合わせて構成され、その内面の着用者の首筋部分に当たる位置には保冷材を収納可能なポケットが着脱可能に設けられている。
【０００８】
上記した構成の帽子において、前記鍔部の前周部は、芯材によりその形状が保持されて、クラウン部の前方に突き出るので、前方から照射される太陽光などは、この前周部により遮られるため、着用者の顔面や目が保護される。一方、前記鍔部の後周部は、自重により垂れ下がって着用者の首筋部分を覆うので、この後周部により着用者の首筋部分は、後方から照射される太陽光などからガードされるうえ、保冷材により着用者の首筋部分が冷やされる結果、着用者にヒンヤリとした涼感をもたらす。
【０００９】
この帽子によれば、クラウン部の開口周縁に設けた環状の鍔部の内面に、保冷材を収納可能なポケットを設けるようにしたから、帽子はデザイン的に良好なものとなるうえ、前記ポケットが設けられる鍔部の後周部が下方に垂れ下がることで、前記ポケットを帽子の内部に隠すので、前記ポケットが外部から見えず、見栄えのよい外観デザインとすることができる。
【００１０】
本考案の好ましい実施態様においては、前記鍔部の後周部の表生地と裏生地とは、別素材で形成されており、その一方の生地を他方の生地よりも薄くまたは軽くしたことを特徴としている。
【００１１】
この実施態様によれば、鍔部の後周部が過度に垂れ下がってしまうことが防止されるので、帽子の形状をデザインの観点から見て極めてスマートな外観を呈するものとすることができる。
【考案の効果】
【００１２】
本考案の帽子によれば、クラウン部の開口周縁に設けた環状の鍔部の内面に、保冷材を収納可能なポケットを設けるようにしたから、帽子はデザイン的に良好なものとなる。そのうえ、前記ポケットが設けられる鍔部の後周部が自重により下方に垂れ下がることで、前記ポケットを帽子の内部に隠すので、前記ポケットが外部から見えることがない。
【図面の簡単な説明】
【００１３】
【図１】本考案の帽子の外観を示す正面図である。
【図２】本考案の帽子の外観を示す底面図である。
【図３】本考案の帽子のポケットを取り外した状態を示す底面図である。
【図４】本考案の帽子の外観を示す斜視図である。
【図５】ポケットの外観を示す斜視図である。
【図６】帽子を着用した状態を示す図である。
【図７】従来例の帽子の斜視図である。
【考案を実施するための形態】
【００１４】
以下、本考案の実施形態について、添付図面を参照して説明する。図１〜図４は、本考案の一実施例である帽子１の外観構成を示している。この実施例の帽子１は、特に暑い時期におけるスポーツ観戦や旅行などの際に着用して、太陽光による強い日差しを防ぐとともに、着用者に対して保冷効果を与えるものであり、着用者の頭部を覆うクラウン部２と、クラウン部２の下端周縁に、その全周にわたって一体形成される環状の鍔部３とから構成されている。
【００１５】
前記クラウン部２は、天井部２０と天井部２０の周縁部から吊り下がる腰部２１とを有し、天井部の周縁部に腰部２１の上端部を縫着して一体的に形成してある。このクラウン部２は、従来からある帽子と同様、適当な大きさに裁断された布状の素材を縫い付けることで形成される。この際、例えば、適当な数のステッチを設けるなどして、クラウン部２の形崩れを防ぎ、耐久性をもたせるようにしている。
【００１６】
クラウン部２は、表地と裏地の二層構造からなり、裏地は通気性を有する素材が用いられる一方、表地は例えば防水性や速乾性を有する素材が用いられている。なお、クラウン部２の表地および裏地の素材は、これに限定されるものではなく、従来からある帽子において、クラウン部２の表地、裏地として用いられるものであれば、種々の柔軟な素材を用いることができる。クラウン部２の下部は開口し、着用者の頭部を出し入れ可能な出入口２２となっている。
【００１７】
腰部２１の裏側、つまり、クラウン部２の内側で、着用者の頭部に直接接する部分には、帯状のスベリ部材２３が全周にわたって取り付けられている。このスベリ部材２３は、着用者の汗取りなどを目的とするものであり、吸水性と速乾性を有する素材により構成されている。
【００１８】
前記鍔部３は、環状に形成され、その内周縁部３０がクラウン部２（腰部２１）の下端周縁にミシンなどで縫着されている。これにより、鍔部３がクラウン部２と一体となって、着用者の頭部（顔面や側面）や首筋部分などを太陽光などから保護できるようにしている。本実施例の鍔部３は、クラウン部２の前周側（着用者の額側）に位置する前周部４と、クラウン部２の後周側（着用者の首筋側）に位置する後周部５とにより構成され、その境界部分Ｔで縫合することにより前周部４と後周部５とが一体化されている。
【００１９】
前記鍔部３の前周部４は、表生地４０と、裏生地４１と、例えば不織布からなる芯材４２とで構成され、芯材４２を表生地４０と裏生地４１との間に配した状態で重ね合わせて糸で縫着することにより形成される。このように、鍔部３の前周部４は、表生地４０と裏生地４１の間に芯材４２を内蔵しており、これにより、鍔部３の前周部４はその形状を維持してクラウン部２の前方に突き出ることで、太陽光などが着用者の顔面などに直射しないよう遮断している。なお、本実施例では、鍔部３の前周部４の表生地４０と裏生地４１とは、クラウン部２の表地と同じ素材を用いて構成されている。
【００２０】
一方、前記鍔部３の後周部５は、表生地５０と裏生地５１とを重ね合わせて糸で縫着することにより形成されており、芯材を表生地５０と裏生地５１との間に内蔵しない構成となっている。これにより、鍔部３の後周部５は、その自重によって下方に垂れ下がり、着用者の首筋部分が覆われるようになっている。本実施例では、鍔部３の後周部５は、表生地５０と裏生地５１とが別素材で形成されており、表生地５０は、例えば、クラウン部２の表地、および、鍔部３の前周部４の表生地４０と同じ素材を用いて構成されている。
【００２１】
これに対し、裏生地５１は、表生地５０よりも薄くて軽い素材を用いて構成されており、これにより、鍔部３の後周部は、適当な垂れ位置でそのフォルムが維持されるので、過度に垂れ過ぎないようになっている。本実施例では、裏生地５１として通気性を有する柔軟性の高いメッシュ素材が用いられており、このメッシュ素材の柔軟性と通気性とによって、帽子１の着用者の首筋部分における不快感を軽減して、帽子１の着用感を快適なものにしている。なお、本実施例の裏生地５１は、メッシュ素材からなるが、これに限定されるものではなく、表生地５０よりも薄くて軽い素材であれば、いかなる素材であってもよい。
【００２２】
鍔部３の後周部５の内面には、着用者の首筋部分に当たる位置に、保冷材７を収納可能なポケット６が着脱可能に設けられている。このポケット６は、図５に示すように、上部に保冷材７の出し入れが可能な開口部６０を有する袋状のものであり、その内部が保冷材７の収納部６１である。収納部６１は、保冷材７を十分深く収納できる大きさに形成されている。なお、図５中、６２Ａ，６２Ｂは、互いに噛み合う面ファスナであり、面ファスナ６２Ａ，６２Ｂを噛み合わせることにより、前記開口部６０が閉じて、保冷材７の脱け落ちを防止している。なお、開口部６０を開閉自在とする構成は、面ファスナ６２Ａ，６２Ｂに限らず、ボタンやホックなどの他の止着手段を用いても構成可能である。
【００２３】
ポケット６の上部左右の隅位置には、左右一対のボタン６３Ａ，６３Ｂが取り付けられている。各ボタン６３Ａ，６３Ｂを、鍔部３の後周部５の内面に取り付けられた各ボタンホール６４Ａ，６４Ｂ（図３に示す）に嵌め込むことにより、ポケット６を鍔部３の後周部５に着脱可能に取り付けることができる。なお、本実施例では、ポケット６を鍔部３の内面に着脱可能とする手段として、ボタン留めを採用しているが、これに限らず、マジックテープ（登録商標）やフックなど、種々の手段を用いてポケット６を鍔部３の内面に対して着脱可能としてもよい。
【００２４】
上記した構成の帽子１において、鍔部３の前周部４は、芯材４２によりその形状が保持され、図６に示すように、クラウン部２の前方に突き出るので、前方から照射される太陽光などはこの前周部４により遮られる結果、着用者の顔面や目が保護される。一方、鍔部３の後周部５は、その自重により下方に垂れ下がって着用者の首筋部分を覆うので、この後周部５により着用者の首筋部分は後方から照射される太陽光からガードされる。そのうえ、保冷材７が着用者の首筋部分に当接し、これにより着用者の首筋部分が冷やされる結果、着用者にヒンヤリとした涼感をもたらす。
【００２５】
この帽子１によれば、クラウン部２の開口周縁に設けた環状の鍔部３の内面に、保冷材７を収納可能なポケット６を設けるようにしたから、帽子１はデザイン的に良好なものとなるうえ、ポケット６が設けられる鍔部３の後周部５が垂れ下がることにより、ポケット６を帽子１の内部に隠すので、ポケット６を外部から見えなくすることができる。
【００２６】
さらに、鍔部３の後周部５の表生地５０と裏生地５１とを別素材で構成し、裏生地５１を表生地５０よりも薄くて軽い素材で構成することで、鍔部３の後周部５が過度に垂れ下がってしまうことを防止できるので、帽子１の形状をデザインの観点から見て極めてスマートな外観を呈するものとすることができる。
【００２７】
なお、本実施例では、鍔部３の後周部５について、裏生地５１を表生地５０よりも薄くて軽い素材で構成しているが、これに限らず、表生地５０を裏生地５１よりも薄くて軽い素材で構成するようにしてもよい。このように構成しても、鍔部３の後周部５は適当な垂れ位置でそのフォームが維持されるので、過度に下方に垂れ下がってしまうことを防止できる。  また、必ずしも、表生地５０と裏生地５１とを別素材で構成する必要はなく、同じ素材で構成しても構わない。
【符号の説明】
【００２８】
１    帽子
２    クラウン部
３    鍔部
４    前周部
５    後周部
６    ポケット
７    保冷材
４０  表生地
４１  裏生地
４２  芯材
５０  表生地
５１  裏生地
【図１】
0003152138.tif 000003
【図２】
0003152138.tif 000004
【図３】
0003152138.tif 000005
【図４】
0003152138.tif 000006
【図５】
0003152138.tif 000007
【図６】
0003152138.tif 000008
【図７】
0003152138.tif 000009
【手続補正書】
【提出日】平成21年5月18日(2009.5.18)
【手続補正１】
【補正対象書類名】実用新案登録請求の範囲
【補正対象項目名】全文
【補正方法】変更
【補正の内容】
【実用新案登録請求の範囲】
【請求項１】
頭部に装着されるクラウン部と、前記クラウン部の開口周縁に一体に設けられる環状の鍔部とを備えた帽子であって、
前記鍔部は、前記クラウン部の前周側に位置する前周部と、前記クラウン部の後周側に位置する後周部とからなり、
前記鍔部の前周部は、表生地と裏生地と前記表生地と裏生地との間に設けられる芯材とを重ね合わせて構成され、
前記鍔部の後周部は、表生地と裏生地とを重ね合わせて構成され、その内面には保冷材を収納可能なポケットが着脱可能に設けられている帽子。
【請求項２】
前記鍔部の後周部の表生地と裏生地とは、別素材で形成されており、その一方の生地を他方の生地よりも薄くまたは軽くしたことを特徴とする請求項１に記載の帽子。